【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
感圧カテーテルのためのコネクタ装置であって、前記感圧カテーテルが、１つ以上の中空圧力順応性部材を備え、前記コネクタ装置が、
前記１つ以上の中空圧力順応性部材と流体連通する第１の相補型コネクタであって、前記第１の相補型コネクタが、前記第１の相補型コネクタの中心軸に沿って位置合わせ部分と装入部分とを、前記位置合わせ部分と前記装入部分との間に位置する弾性部材と共に有し、前記位置合わせ部分が、前記中心軸に垂直且つ、前記装入部分の前記中心軸に垂直な断面積より小さい断面積を有する、第１の相補型コネクタと、
その中心軸に沿ったアラインメント部と装入部とを有する近位カプラを有する第２の相補型コネクタであって、前記アラインメント部が、その中に前記位置合わせ部分を受容するように前記位置合わせ部分の断面積と相補的な断面積を有し、前記装入部が、その中に前記装入部分と前記弾性部材とを受容し、それらの間に液密シールを形成するように相補的な断面積を有し、
前記第１の相補型コネクタが、前記アラインメント部が前記位置合わせ部分を受容し、前記装入部が前記装入部分を受容し、前記弾性部材が前記装入部内で液密シールを形成する場合、所定体積の流体を前記近位カプラ内から前記１つ以上の中空圧力順応性部材へと移動させるように構成される、第２の相補型コネクタと、
前記１つ以上の中空圧力順応性部材に関連する圧力を検出するように、前記１つ以上の中空圧力順応性部材に流体的に結合された圧力検出装置と、を備える、コネクタ装置。
【請求項２】
前記第１の相補型コネクタが、前記第１の相補型コネクタの長手軸の周りに配置されたモニタルーメンを備える、請求項１に記載のコネクタ装置。
【請求項３】
前記近位カプラが、その中に画定された複数のチャネルを有する係合部を備え、前記係合部が、前記第１の相補型コネクタの係合部分と相補的な断面積を有する、請求項１または２に記載のコネクタ装置。
【請求項４】
前記係合部が、前記アラインメント部及び前記装入部の断面積より大きい断面積を有する、請求項３に記載のコネクタ装置。
【請求項５】
前記複数のチャネルの各チャネルが、前記第２の相補型コネクタの長手軸に対して垂直に配向される、請求項３に記載のコネクタ装置。
【請求項６】
前記第１の相補型コネクタの前記係合部分が、前記複数のチャネルのうちの少なくとも１つのチャネル内に受容される凸部を備える、請求項３に記載のコネクタ装置。
【請求項７】
前記複数のチャネルの各チャネルが、前記複数のチャネルの別のチャネルから円周方向に離間する、請求項３に記載のコネクタ装置。
【請求項８】
前記複数のチャネルが、テーパ状前端部とテーパ状側面とを備える高くしたプラットフォーム内に配置される、請求項３に記載のコネクタ装置。
【請求項９】
前記弾性部材が、第１の軸長を有し、前記装入部が、前記第１の軸長より大きい第２の軸長を有し、前記装入部内に受容される場合、前記弾性部材が前記装入部に対して軸方向に摺動することを可能にする、請求項１〜８のいずれか一項に記載のコネクタ装置。
【請求項１０】
前記第１の相補型コネクタが前記第２の相補型コネクタに接続される場合、前記圧力検出装置が、前記位置合わせ部分と同軸アラインメントとなるように配置される、請求項１〜９のいずれか一項に記載のコネクタ装置。
【請求項１１】
前記第１の相補型コネクタに設けられた流体抵抗性カバーをさらに備える、請求項１〜１０のいずれか一項に記載のコネクタ装置であって、前記第１の相補型コネクタが前記第２の相補型コネクタに接続される場合、前記流体抵抗性カバーが、少なくとも前記圧力検出装置を一般的に取り囲み、それによって流体的に隔離する、コネクタ装置。
【請求項１２】
前記弾性部材が、前記第１の相補型コネクタの前記中心軸に垂直且つ、前記装入部の断面積より大きい断面積を有する、請求項１〜１１のいずれか一項に記載のコネクタ装置。
【請求項１３】
前記装入部の断面積が、その中に前記装入部分を受容するように前記装入部分の断面積と相補的である、請求項１〜１２のいずれか一項に記載のコネクタ装置。
【請求項１４】
前記係合部分及び前記係合部の一方が、凸部を有し、前記装入部分及び前記装入部の他方が、前記凸部を摩擦して受容するための相補的な凹部を有し、前記凸部及び凹部が位置合わせされる場合、前記凸部及び凹部が、前記第１の相補型コネクタを前記第２の相補型コネクタ内に保持するためのスナップフィットを形成する、請求項３〜８のいずれか一項に記載のコネクタ装置。
【請求項１５】
感圧カテーテルのためのコネクタ装置であって、前記感圧カテーテルが、１つ以上の中空圧力順応性部材を備え、前記コネクタ装置が、
前記１つ以上の中空圧力順応性部材と流体連通する第１の相補型コネクタであって、前記第１の相補型コネクタが、弾性部材を支持する装入部分を有する、第１の相補型コネクタと、
その中心軸に沿った装入部とベント部とを有する近位レセプタクルを有する第２の相補型コネクタであって、前記装入部が、前記中心軸に垂直且つ、その中に前記弾性部材を受容し、その間に液密シールを形成するように前記弾性部材と相補的な断面積を有し、前記ベント部が、前記中心軸に垂直且つ、その中に前記弾性部材を受容するように前記弾性部材と相補的な断面積を有し、前記ベント部が、１つ以上のベントを備え、前記弾性部材が前記ベント部に受容される場合、前記１つ以上のベント内の流体流動を可能にし、
前記第１の相補型コネクタが、前記装入部が前記弾性部材を受容する場合、所定体積の流体を前記近位レセプタクル内から前記１つ以上の中空圧力順応性部材へと移動させるように構成される、第２の相補型コネクタと、
前記１つ以上の中空圧力順応性部材に関連する圧力を検出するように、前記１つ以上の中空圧力順応性部材に流体的に結合された圧力検出装置と、を備える、コネクタ装置。
【請求項１６】
感圧カテーテルのためのコネクタ装置であって、前記感圧カテーテルが、第１のルーメンと第２のルーメンとを備える細長い部材を備え、前記細長い部材の前記第１のルーメン及び前記第２のルーメンが各々、前記細長い部材の外側遠位端の周りに配置されたそれぞれの圧力順応性部材と流体連通し、前記コネクタ装置が、
前記細長い部材に接続された第１の相補型コネクタであって、前記第１の相補型コネクタが、各々その内部に配置された、第１のルーメンと第２のルーメンとを有する、第１の相補型コネクタと、
第２の相補型コネクタであって、
前記第１の相補型コネクタに流体的に接続可能な第１のチャンバと、
前記第１のチャンバと流体連通し、前記第１のチャンバから軸方向に離れて位置する第２のチャンバと、を備え、
前記第１の相補型コネクタの前記第１のルーメン及び前記第２のルーメンが、前記細長い部材の前記第１のルーメン及び前記第２のルーメンとそれぞれ流体連通し、
前記第１の相補型コネクタが前記第２の相補型コネクタに接続される場合、前記第１の相補型コネクタが、
第１の所定体積の流体を前記第１のチャンバから前記細長い部材の前記第１のルーメンへと、
第２の所定体積の流体を前記第２のチャンバから前記細長い部材の前記第２のルーメンへと移動させるように構成される、第２の相補型コネクタと、を備える、コネクタ装置。
【請求項１７】
前記第２の所定体積が、前記第１の所定体積より大きい、請求項１６に記載のコネクタ装置。
【請求項１８】
前記第２の相補型コネクタが、前記第１のチャンバと流体連通する第１の圧力ポートと、前記第２のチャンバと流体連通する第２の圧力ポートとを備える、請求項１６または１７に記載のコネクタ装置。
【請求項１９】
前記第１の相補型コネクタが前記第２の相補型コネクタに接続される場合、前記第１の圧力ポートが、前記第２の圧力ポートと流体連通しない、請求項１８に記載のコネクタ装置。
【請求項２０】
前記第１の相補型コネクタの前記第１のルーメンが、前記第１の相補型コネクタの顔の周りまで延在して終端し、前記第１の相補型コネクタの前記第２のルーメンが、前記第１の相補型コネクタの首の側面の周りまで延在して終端する、請求項１６〜１９のいずれか一項に記載のコネクタ装置。
【請求項２１】
各々前記第１の相補型コネクタまたは前記第２の相補型コネクタのいずれかに設けられた、第１の弾性部材と第２の弾性部材とをさらに備える、請求項１６〜２０のいずれか一項に記載のコネクタ装置であって、
前記第１の相補型コネクタが前記第２の相補型コネクタに接続される場合、
前記第１の相補型コネクタの前記第１のルーメンが、前記第１の弾性部材及び前記第２の弾性部材を軸方向に通過して延在し、
前記第１の相補型コネクタの前記第２のルーメンが、前記第１の弾性部材及び前記第２の弾性部材の一方を軸方向に通過して延在し、前記第１の弾性部材と前記第２の弾性部材との間の軸方向距離で終端する、コネクタ装置。
【請求項２２】
前記第１の弾性部材及び前記第２の弾性部材が各々、前記第１の相補型コネクタの外側部分の周りに配置された溝内に配置されたゴムＯリングを備える、請求項２１に記載のコネクタ装置。